(57)【要約】【課題】高い注意喚起力を実現できる表示装置を得る。【解決手段】ＬＥＤ発光素子７の出射領域の一部の光を集める集光部５Ａと、ＬＥＤ発光素子７の出射領域の他の光を拡散する光拡散部５Ｂとを有するカバー５を備える。このカバー５は、その正面からは輝度の高い点状の光を放出し、側面からは光を拡散させて放出するので、正面からと側面からで見え方に違いが得られるとともに、光を拡散することでボリューム感が得られ、従来では得られない高い注意喚起力を実現できる。【選択図】図２
2009025456.tif 000002
【特許請求の範囲】
【請求項１】
発光源と、
前記発光源の出射領域の一部の光を集める集光部及び前記出射領域の他の光を拡散する光拡散部を有するカバーと、
を備える表示装置。
【請求項２】
基板上に所定間隔で所定の形状に配設された複数の発光源と、
前記複数の発光源の少なくとも上方を連続して覆うと共に、前記複数の発光源の夫々に対して該発光源の出射領域の一部の光を集める集光部及び前記出射領域の他の光を拡散する光拡散部を有するカバーと、
を備える表示装置。
【請求項３】
前記カバーは、透明の樹脂材からなり、前記集光部が凸レンズとして形成され、前記光拡散部がカバー表面に傷を付けることで乳白状に形成されたものである請求項１又は請求項２に記載の表示装置。
【請求項４】
前記カバーの前記光拡散部が波型形状を有する請求項３に記載の表示装置。
【請求項５】
前記光拡散部の波型形状が前記カバーの外側面又は内面側に設けられた請求項３又は請求項４に記載の表示装置。
【請求項６】
前記カバーは、擦りガラス材からなり、前記集光部が凸レンズとして形成されたものである請求項１又は請求項２に記載の表示装置。
【請求項７】
前記カバーは、前記発光源を配設する基板との間に放熱用の隙間を有する請求項１乃至請求項６のいずれかに記載の表示装置。
【請求項８】
前記発光源を配設する基板が長方形状に形成され、前記発光源は、前記基板の周縁部に沿って複数個配設され、前記カバーは、前記基板の周縁部に配設された複数の前記発光源を覆うように複数個並べて配設される請求項１乃至請求項７のいずれかに記載の表示装置。
【発明の詳細な説明】
【技術分野】
【０００１】
本発明は、電球やＬＥＤ(Light Emitting Diode:発光ダイオード)発光素子等の発光体を使用して文字や画像を表示する表示装置に関する。
【背景技術】
【０００２】
従来から、電球やＬＥＤ発光素子を使用した表示装置の看板が知られている。この種の表示装置は、いかに人目を引き付けるかが重要であり、そのため、これまでに様々な提案がなされている。例えば、特許文献１で開示されている表示装置では、光源光を縦横四方向に回折する回折格子フィルムを設けて、光源の周りに回折像を幾重にも点在するような発光表示をさせるようにしている。また、特許文献２で開示されている表示装置では、伝達情報を表示する情報表示部の周りに装飾表示部を設け、更にその周囲を、光反射面を備えた枠体で取り囲み、装飾表示部から照射される光を光反射面によって表示装置の表示方向へ反射させるようにしている。
【０００３】
【特許文献１】特開２００３−２５５８６６号公報
【特許文献２】特開２００５−３０１１６３号公報
【発明の開示】
【発明が解決しようとする課題】
【０００４】
ところで、上述した従来の表示装置は、回折格子フィルムによって光源の周りに回折像を幾重にも点在するようにしたり、装飾表示部から照射される光を光反射面によって表示装置の表示方向へ反射させるようにしたりするようにしているものの、見え方が単調であり、注意喚起力があまり高くない。
【０００５】
本発明は係る事情に鑑みてなされたものであり、電球やＬＥＤ発光素子等の発光体を使用して文字や画像を表示する看板用途の表示装置において、高い注意喚起力を実現できる表示装置を提供することを目的とする。
【課題を解決するための手段】
【０００６】
本発明の表示装置は、発光源と、前記発光源の出射領域の一部の光を集める集光部及び前記出射領域の他の光を拡散する光拡散部を有するカバーと、を備える。
【０００７】
上記構成によれば、カバーの集光部からは輝度の高い点状の光を放出し、カバーの光拡散部からは拡散させた輝度の低い光を放出する。これにより、正面からと側面からで見え方に違いが生じ、しかも光を拡散することでボリューム感が得られ、看板として高い注意喚起力を実現できる。
【０００８】
また、本発明の表示装置は、基板上に所定間隔で所定の形状に配設された複数の発光源と、前記複数の発光源の少なくとも上方を連続して覆うと共に、前記複数の発光源の夫々に対して該発光源の出射領域の一部の光を集める集光部及び前記出射領域の他の光を拡散する光拡散部を有するカバーと、を備える。
【０００９】
上記構成によれば、基板上の複数の発光源のそれぞれに対して、集光部から輝度の高い点状の光を放出し、拡散部からは拡散させた輝度の低い光を放出する。これにより、正面からと側面からで見え方に違いが生じ、しかも光を拡散することでボリューム感が得られ、看板として高い注意喚起力を実現できる。
【００１０】
上記構成において、前記カバーは、透明の樹脂材からなり、前記集光部が凸レンズとして形成され、前記光拡散部がカバー表面に傷を付けることで乳白状に形成されたものである。
【００１１】
上記構成によれば、カバーを一体成型することができる。特に、カバーを透明の樹脂材で形成することで、拡散部を形成するための傷を容易に付けることができ、また集光部を容易に形成することができる。
【００１２】
また、上記構成において、前記カバーの前記光拡散部が波型形状を有する。
【００１３】
上記構成によれば、波型の光拡散部により、より均一に光を拡散することができる。
【００１４】
また、上記構成において、前記光拡散部の波型形状が前記カバーの外側面又は内面側に設けられた。
【００１５】
上記構成によれば、拡散部を形成する傷をカバーの外側面、内側面のいずれに設けても同様の効果を得ることができる。
【００１６】
また、上記構成において、前記カバーは、擦りガラス材からなり、前記集光部が凸レンズとして形成された。
【００１７】
上記構成によれば、カバーを擦りガラス材で形成することで、集光部以外をそのまま拡散部とすることができ、製作が容易になる。
【００１８】
また、上記構成において、前記カバーは、前記発光源を配設する基板との間に放熱用の隙間を有する。
【００１９】
上記構成によれば、発光源を配設する基板にカバーを密着させて取り付けても、発光源からの熱を容易に逃がすことができる。
【００２０】
また、上記構成において、前記発光源を配設する基板が長方形状に形成され、前記発光源は、前記基板の周縁部に沿って複数個配設され、前記カバーは、前記基板の周縁部に配設された複数の前記発光源を覆うように複数個並べて配設される。
【００２１】
上記構成によれば、看板として高い注意喚起力を実現できる表示装置を提供することができる。
【発明の効果】
【００２２】
本発明に係る表示装置によれば、高い注意喚起力を実現できる。
【発明を実施するための最良の形態】
【００２３】
以下、本発明を実施するための好適な実施の形態について、図面を参照して詳細に説明する。
【００２４】
図１は、本発明の一実施の形態に係る表示装置を示す正面図である。同図において、本実施の形態の表示装置１は、中央部に多数のＬＥＤ発光素子からなる表示用ＬＥＤ素子２を碁盤目状に配置した表示部３と、この表示部３を囲うようにして、発光体としての複数個のＬＥＤ発光素子からなる飾りＬＥＤ素子（図示略）を所定間隔に配置した飾り部４と、この飾り部４に配置された複数の飾りＬＥＤ素子を１０個１単位で覆うことができる複数個のカバー５とを備える。なお、表示装置１は、図示せぬスタンドに取り付けられ、人目につき易い場所に設置される。また、表示部３の表面は透明なパネル６で覆われている。
【００２５】
カバー５は、飾り部４の周囲に沿って複数個配設される。図２はカバー５の概観を示す図であり、（ａ）は平面図、（ｂ）は側面図である。また、図３は図２のＡ−Ａ線断面図である。図２及び図３において、カバー５は、光を透過する透明の樹脂材（例えばアクリル樹脂材）を断面コ字状で両端を閉口させた棒状に形成されている。また、カバー５には、ＬＥＤ発光素子７（図３参照）の出射領域の一部の光を集める集光部５Ａと、ＬＥＤ発光素子７の出射領域の他の光を拡散する光拡散部５Ｂとが設けられている。
【００２６】
集光部５Ａは凸レンズであり、カバー５本体の長さ方向に沿って表示用ＬＥＤ素子２の配置間隔と同一間隔で複数個形成されている。本実施の形態では１０個形成されている。光拡散部５Ｂは、カバー５の外側の面を波型の凹凸に形成したものである。凹凸を波型にすることでより均一な光を得ることができる。すなわち、全方向に対して均一な光を発することができる。
【００２７】
カバー５は、棒状に形成した樹脂材を削って作製することが可能であり、また樹脂液を金型に流し込んで作製することも可能である。棒状に形成した樹脂材を削って作製する場合は、樹脂表面に傷を付けることで、拡散部５Ｂの形成を容易に行える。また、透明樹脂に乳白剤を添加することで、拡散部５Ｂを形成してもよい。乳白状の拡散部５Ｂにより、ほのかな光を醸し出すことが可能となる。
【００２８】
また、図２の（ｂ）に示すように、カバー５の両端には、カバー５をＬＥＤ基板１０（図３参照）に固定するための爪部５Ｃが形成されている。カバー５をＬＥＤ基板１０に取り付けるときに、この爪部５ＣをＬＥＤ基板１０に開けられた孔（図示略）に差し込むことで、先端の返し部５Ｃ１がＬＥＤ基板１０に係止して、カバー５がＬＥＤ基板１０に確実に固定される。
【００２９】
また、図２の（ｂ）に示すように、カバー５の爪部５Ｃの両側には、カバー５内でＬＥＤ発光素子７から発生した熱を逃がすための略半円状の窓部５Ｄが形成されている。カバー５をＬＥＤ基板１０に取り付けることで、カバー５の開口端がＬＥＤ基板１０の面に密着することになり、窓部５Ｄがない場合にはＬＥＤ発光素子７から発生した熱がカバー５内にこもってしまうことになる。窓部５Ｄを設けることで、カバー５内にこもった熱を逃がすことができる。
【００３０】
カバー５は上述のような構造を採り、実際の使用において、集光部５Ａからは表示用ＬＥＤ素子２の出射領域の一部の光を集めた輝度の高い点状の光を放出し、拡散部５ＢからはＬＥＤ発光素子７の出射領域の他の光を拡散させて放出する。この場合、集光部５Ａによる点状の光は略カバー５の正面から放出され、拡散部５Ｂによる拡散光は集光部５Ａの周囲、略カバー５の側面から放出される。集光部５Ａは実質上凸レンズであるので、これを使用しない場合と比べて１０倍程度の輝度が得られる。拡散部５ＢはＬＥＤ発光素子７からの光を例えば１２０度の角度で放出するので、光の見え方にボリューム感が得られる。なお、ＬＥＤ発光素子７は、単色のものや複数色（例えばＲ(Read)、Ｇ(Green)、Ｂ(Blue)）のものがあるが、複数色の方が、より高い注意喚起力が得られる。
【００３１】
一方、表示部３では、表示用ＬＥＤ素子２を複数個使用して１つの文字が表示される。例えば、縦横夫々に１６個使用して１６ドット×１６ドットで１文字を表示する。
【００３２】
このように、本実施の形態の表示装置１によれば、ＬＥＤ発光素子７の出射領域の一部の光を集める集光部５Ａと、ＬＥＤ発光素子７の出射領域の他の光を拡散する光拡散部５Ｂとを有するカバー５を備え、カバー５の正面からは輝度の高い点状の光を放出し、側面からは光を拡散させて放出するので、正面からと側面からで見え方に違いが得られるとともに、光を拡散することでボリューム感が得られ、従来では得られない高い注意喚起力を実現できる。
【００３３】
なお、本実施の形態では、カバー５が１０個の集光部５Ａを有するものであったが、集光部５Ａの数に限定はなく任意である。
【００３４】
また、本実施の形態では、拡散部５Ｂをカバー５本体の外側面に形成したが、カバー５本体の内側面に形成しても良い。
【００３５】
また、本実施の形態では、カバー５は透明樹脂材で作製したものであったが、擦りガラス材で作製することも可能である。カバー５を擦りガラス材で形成することで、集光部５Ａ以外をそのまま拡散部５Ｂとすることができ、製作が容易になる。
【００３６】
また、本実施の形態では、ＬＥＤ発光素子７を用いたが、電球を用いても良い。
【産業上の利用可能性】
【００３７】
本発明は、高い注意喚起力を実現できるといった効果を有し、発光体を使用して文字や画像を表示する表示装置等に有用である。
【図面の簡単な説明】
【００３８】
【図１】本発明の一実施の形態に係る表示装置を示す正面図
【図２】図１の表示装置が有するカバーを示す平面図及び側面図
【図３】図２のＡ−Ａ線断面図
【符号の説明】
【００３９】
１  表示装置
２  表示用ＬＥＤ素子
３  表示部
４  飾り部
５  カバー
５Ａ  集光部
５Ｂ  拡散部
５Ｃ  爪部
５Ｃ１  返し部
５Ｄ  窓部
６  パネル
７  ＬＥＤ発光素子
１０  ＬＥＤ基板
【図１】
2009025456.tif 000003
【図２】
2009025456.tif 000004
【図３】
2009025456.tif 000005